(57)【特許請求の範囲】
【請求項１】
正面中央部が凸状に形成され、火災感知手段を内蔵する筐体と、
前記筐体内で点灯して前記火災感知手段の作動状態を示す光源と、
前記光源が発する光を、内部の光透過により前記筐体の正面中央部の凸状の先端位置の中央部まで伝達する光ガイド部材とを備え、
前記光ガイド部材は、平板状に形成された部分を備えると共に、当該平板の一方の平面に設けられた透過光射出用の発光面と、他方の平面に傾斜して設けられた前記発光面に対向する傾斜面とを有し、
前記傾斜面に、内部透過光を前記発光面側に反射するための反射面を形成する複数の溝を形成したことを特徴とする火災感知器。
【請求項２】
前記発光面に対して垂直に前記傾斜面を投影した場合に、当該投影された傾斜面が前記発光面全域に重合すると共に前記発光面よりも面積が大きくなるように、前記光ガイド部材の傾斜面が形成されていることを特徴とする請求項１記載の火災感知器。
【請求項３】
正面中央部が凸状に形成され、火災感知手段を内蔵する筐体と、
前記筐体内で点灯して前記火災感知手段の作動状態を示す光源と、
前記光源が発する光を、内部の光透過により前記筐体の正面中央部の凸状の先端位置の中央部まで伝達する光ガイド部材とを備え、
前記火災感知手段は、外部光を遮断する暗箱内に設けられ、当該暗箱内に侵入した煙による散乱光を検出して火災感知を行うと共に、
前記暗箱に、当該暗箱を貫通して形成された光を透過しない管状の前記光ガイド部材の挿通部を設けたことを特徴とする火災感知器。
【請求項４】
前記光ガイド部材は、前記暗箱の外壁と前記筐体の内壁との間に挟んで固定されることを特徴する請求項３記載の火災感知器。
【発明の詳細な説明】
【技術分野】
【０００１】
本発明は、建造物内で用いる火災感知器に関する。
【背景技術】
【０００２】
従来の火災感知器は、火災感知を行う素子や回路を内蔵すると共に建造物の設置状態において正面となる側が凸状に形成された筐体と、当該筐体内の回路に接続された火災感知の作動状態を発光して示す発光素子と、発光素子の発する光を筐体の外部まで伝達する光ガイド部材とを備えていた（例えば、特許文献１参照）。
【特許文献１】実公昭６１−１５１１号公報
【発明の開示】
【発明が解決しようとする課題】
【０００３】
しかしながら、上記従来例にあっては、筐体内部で正面側に向けられた発光素子に対して真っ直ぐに光伝達を行う円柱状の光ガイド部材を使用しているので、筐体内部の発光素子の配置がそのまま筐体外部の発光位置に反映されてしまうという不都合があった。
つまり、円柱状の光ガイド部材は発光素子の光軸に沿って筐体の正面の壁面を貫通して配置され、筐体外部に露出された端面により発光素子からの光を外部に照射していた。
一方、筐体は正面側が凸状であると共にその中央部が最も凸状となり、発光素子の配置に応じて光ガイド部材の配置が筐体の最も凸なる中央部から外れて配置されてしまうと、火災感知器の周囲の一部の範囲からは筐体の凸状中央部に隠れて作動状態を示す照射光が見えなくなってしまうという不都合が生じていた。
【０００４】
また、筐体内の発送素子の配置の影響を受けないように、光ガイド部材を延長し、或いは屈曲形成すると、光ガイド部材の内部で光が減衰し、筐体外部では発光の光量が低減して、やはり作動状態の確認が困難となるという問題もあった。
また、火災感知手段が光源と受光素子とを用いて煙による散乱光を感知するいわゆる煙感知式である場合には、筐体内部に外部光の影響を受けないように、暗箱を設ける必要が生じるが、前述した光ガイド部材との干渉も考慮しなければならず、暗箱と光ガイド部材との干渉を避ける配置とすることが筐体の大型化を招いてしまうという問題も生じていた。
【０００５】
本発明は、火災感知器の周囲全域から作動確認を可能とすることをその目的とする。
また、本発明は、火災感知器の作動確認をより確実に可能とすることを他の目的とする。
さらに、本発明は、火災感知器の小型化をさらに他の目的とする。
【課題を解決するための手段】
【０００６】
請求項１記載の発明は、正面中央部が凸状に形成され、火災感知手段を内蔵する筐体と、筐体内で点灯して火災感知手段の作動状態を示す光源と、光源が発する光を、内部の光透過により筐体の正面中央部の凸状の先端位置の中央部まで伝達する光ガイド部材とを備え、光ガイド部材は、平板状に形成された部分を備えると共に、当該平板の一方の平面に設けられた透過光射出用の発光面と、他方の平面に傾斜して設けられた発光面に対向する傾斜面とを有し、傾斜面に、内部透過光を発光面側に反射するための反射面を形成する複数の溝を形成する、という構成を採っている。
【０００７】
筐体における「正面」とは、筐体を壁や天井などの設置面に取り付ける場合に、当該設置面と対向する面の逆側の面のことを示すものとし、以下の記載において全て同様とする。
上記構成では、火災感知手段の作動中には光源が発光し、光ガイド部材は、光源からの光を受光して内部で透過させながら平板状の部分まで導く。そして、透過光を傾斜面の各溝により形成された無数の反射面により発光面側に反射させ、筐体正面中央部の発光面から筐体の外部に向かって発光する。
【０００８】
なお、光源は点灯することにより火災感知手段における何らかの作動状態を示す機能を有するが、その作動状態については特定されるものではない。例えば、現在、火災感知を実行中であることを示したり、バッテリーの充足或いは不足状態を示したり、火災を感知してそれを報知するために点灯して示すものであっても良い。
【０００９】
請求項２記載の発明は、請求項１記載の発明と同様の構成を備えると共に、発光面に対して垂直に傾斜面を投影した場合に、当該投影された傾斜面が発光面全域に重合すると共に発光面よりも面積が大きくなるように、光ガイド部材の傾斜面が形成されている、という構成を採っている。
【００１０】
上記構成では、投影された傾斜面が発光面全域に重合し、且つ投影された傾斜面が発光面よりも面積が大きく設定されている。このため、傾斜面の全範囲に渡って複数のＶ字溝が形成されることにより、発光面よりも広範囲から反射光が発光されることとなり、発光面の正面以外の方向から見ても、発光面の全体が発光して見える。
【００１１】
請求項３記載の発明は、正面中央部が凸状に形成され、火災感知手段を内蔵する筐体と、筐体内で点灯して前記火災感知手段の作動状態を示す光源と、光源が発する光を、内部の光透過により筐体の正面中央部の凸状の先端位置の中央部まで伝達する光ガイド部材とを備え、火災感知手段は、外部光を遮断する暗箱内に設けられ、当該暗箱内に侵入した煙による散乱光を検出して火災感知を行うと共に、暗箱に、当該暗箱を貫通して形成された光を透過しない管状の光ガイド部材の挿通部を設ける、という構成を採っている。
【００１２】
上記構成では、外乱光の影響を排除するための暗箱を備えた場合において、光ガイド部材を挿通する光を透過しない管状の挿通部を設けたので、暗箱を迂回して光ガイド部材を配置するスペースを不要とし、光ガイド部材の迂回自体を不要とする。
【００１３】
請求項４記載の発明は、請求項３記載の発明と同様の構成を備えると共に、光ガイド部材は、暗箱の外壁と筐体の内壁との間に挟んで固定される、という構成を採っている。
上記構成では、光ガイド部材を暗箱の外壁と筐体の内壁との間に挟んで固定するため、火災感知器の組み立ての際には、暗箱を筐体内に設置する際に、光ガイド部材の設置作業が同時に行われる。
なお、光ガイド部材を挟持する暗箱の外壁と筐体の内壁について、光ガイド部材の表面に正対する部分については、その表面の光反射性を高くする処理を行うことが望ましい。
【発明の効果】
【００１４】
請求項１記載の発明は、光ガイド部材が、傾斜面に形成された複数の溝の反射により発光面からの発光を可能とするので、筐体における外部への発光位置が光源の光軸正面位置に限定されず、筐体の正面中央部である凸状先端位置から発光させることができる。つまり、凸状の先端位置からの発光により、筐体の全周から作動状態を確認することが可能となる。
また、各溝は傾斜面に形成されているので、平板状の部分を透過する光の進行方向に対して後方に位置する溝も前方の溝に遮られることなく光反射を行うことができる。このため、光ガイド部材は、光の減衰や損失を抑え、透過光を効率的に発光面まで伝達するので、より高い光強度で発光することができ、より確実に、作動状態を確認することが可能となる。
【００１５】
請求項２記載の発明は、発光面側に投影させた傾斜面が発光面全体に重合し且つ広面積なので、発光面の正面以外の方向から見ても発光面全体が発光しているように見せることができ、筐体の全周からより良好に作動状態を確認することが可能となる。
【００１６】
請求項３記載の発明は、筐体の正面中央部である凸状先端位置から発光させることができるので、筐体正面におけるの全周から作動状態を確認することが可能となる。
さらに、本発明は、暗箱に光ガイド部材を挿通する光を透過しない管状の挿通部を設けたので、暗箱を迂回して光ガイド部材を配置するスペースを不要とすることができ、火災感知器の小型化を図ることが可能となる。
さらに、光ガイド部材の迂回自体を不要とするため、光源から発光部までの光の減衰を抑制し、より高い光強度で発光することができ、より確実に、作動状態を確認することが可能となる。
【００１７】
請求項４記載の発明は、光ガイド部材を暗箱の外壁と筐体の内壁との間に挟んで固定するため、火災感知器の組み立てにおいて、暗箱を筐体内に設置する際に、光ガイド部材の配置が同時に行われ、別個独立した光ガイド部材の組み上げを不要とすることができる。また、光ガイド部材は挟持されて保持されるので、光ガイド部材専用の固定手段や固定構造を排除又は簡略化することができ、火災感知器の生産性の向上を図ることが可能となる。
【発明を実施するための最良の形態】
【００１８】
（火災感知器の全体構成）
本発明の実施形態である火災感知器１０について図１乃至図１０を参照して説明する。図１は火災感知器１０の正面側を示す斜視図、図２は背面側を示す斜視図、図３は分解斜視図である。
火災感知器１０は、建造物の屋内の天井や壁面に設置され、火災により生じる煙を感知することで警報による報知を行うものである。
ここで以下の説明において、火災感知器１０の設置に際して、建造物の天井の平面或いは壁面に対向する面を火災感知器１０の背面とし、その逆側の面を火災感知器１０の正面ということとする。
また、以下の説明において上記正面側に向かう方向を前方、背面側に向かう方向を後方として説明を行うこととする。
【００１９】
火災感知器１０は、図３に示すように、火災発生時の煙を感知する煙感知手段２０（図８参照）と、煙感知手段２０を格納する暗箱３０と、煙感知手段２０の感知により図示しない警報ブザーを鳴らすための回路が主に構成されている回路基板４０と、この回路基板４０に設けられると共に火災感知手段としての煙感知手段２０の作動状態を点灯により示す光源としてのＬＥＤ４１と、上記各構成を内蔵する筐体５０と、ＬＥＤ４１が発する光を筐体５０の正面中央部の発光位置である作動表示部７３ｄまで伝達する光ガイド部材９０とを備えている。
以下、各部について順番に詳説することにする。
【００２０】
（筐体）
図４は図１に示すＸ−Ｘ線に沿った火災感知器１０の断面図である。図１乃至図４に基づいて筐体５０について説明する。
図３及び図４に示すように、筐体５０は、主として、背面側に位置する円形のベース体６０と、正面側に位置する円形のカバー体７０と、ベース体６０とカバー体７０と連結すると共に筐体５０の内部を正面側と背面側の二つの区域に分ける仕切板７５とから構成されている。
【００２１】
カバー体７０は、円形の正面部７１と、正面部７１の周縁部から連なる側壁面を構成をする円筒部７２と、正面部７１の中央部に設けられた略円筒状の凸状部７３とを有し、これらは白色の樹脂材料にて一体成形で作られている。
上記凸状部７３は、正面部７１に対して同心に配置されると共に当該正面部７１よりも小径な皿状の天板７３ａと、天板７３ａと正面部７１とを連結する四つのリブ７３ｂとを有している。
【００２２】
リブ７３ｂは、天板７３ａの周縁部において四本が均一間隔で設けられ、各リブ７３ｂ同士の間は広く開口している。図４に示すように、凸状部７３の内側には、煙感知手段２０を格納する暗箱３０が配置されるため、各リブ７３ｂの間を開口部７３ｃとすることで暗箱３０内に煙を導きやすい構造となっている。
【００２３】
天板７３ａは、その中心位置に円形の貫通穴である作動表示部７３ｄが設けられている。この作動表示部７３ｄには、背面側から光ガイド部材９０の発光面９７ａを有する円形凸部９７が嵌合され、煙感知手段２０の作動状態を示す赤色光が発光面９７ａから正面側に向かって出射されるようになっている。
また、天板７３ａの背面側には、後述する光ガイド部材９０の第二の導光部９２の外形に対応してガイド保持部７３ｅが形成されている。このガイド保持部７３ｅは、上記第二の導光部９２の側端面を取り囲む壁面をなしており、第二の導光部９２をはめ込むことで光ガイド部材９０の保持を可能とする。また、ガイド保持部７３ｅの内面と天板７３ａの背面とは、白色樹脂であるため、その表面反射により、透明なる光ガイド部材９０内を導かれる光を当該ガイド内から漏らさずに発光面９７ａまで伝える機能を補助している。なお、図４では、ガイド保持部７３ｅと光ガイド部材９０の第二の導光部９２との間に隙間が描かれているが、隙間なく密接する方がより好ましい。また、ガイド保持部７３ｅの内面と天板７３ａの背面には、より良く光を反射する物質や塗料を塗布しても良い。
【００２４】
カバー体７０の正面部７１は、その中央部が、凸状部７３の天板７３ａとほぼ同じ大きさで開口し、暗箱３０が遊挿状態で配置されている。
さらに、正面部７１の一端には、別部材で構成されると共に後方に押し込み可能に支持されたボタン入力部７１ａが設けられている。このボタン入力部７１ａは、その背面側に位置する回路基板４０に実装された試験用押しボタン（図示略）に接しており、当該ボタン入力部７１ａを後方に押し込むことで、試験用押しボタンを入力操作することが可能となっている。なお、試験用押しボタンは警報ブザーの作動確認の試験を行うためのものであり、入力操作されると、煙感知にかかわらず、警報ブザーを鳴らすように回路基板４０の回路が構成されている。
なお、符合７１ｃは、ボタン入力部７１ａの背面側に連結された入力紐であり、この入力紐７１ｃを引っ張ることでボタン入力部７１ａを介して試験用押しボタンを押下することも可能となっている。
【００２５】
また、正面部７１における、凸状部７３を挟んでボタン入力部７１ａと反対側の位置には、正面部７１を表裏に貫通形成された複数本のスリットからなる警報出力部７１ｂが設けられている。警報ブザーは、筐体５０内において警報出力部７１ｂの近傍に配置され、その作動時には、警報出力部７１ｂを通じて筐体５０の外部に警報音を発するようになっている。
【００２６】
カバー体７０の円筒部７２における背面側は広く開放されており、当該円筒部７２に挿入可能な外径に設定された仕切板７５が挿入されて閉塞されるようになっている。つまり、図３及び図４に示すように、カバー体７０と仕切板７５とにより暗箱３０と回路基板４０の格納スペースが形成される。なお、この仕切板７５もカバー体７０と同様に、白色の樹脂材料にて一体成形で作られている。
格納時において、暗箱３０は二つの爪３０ａにより回路基板４０に連結され、暗箱３０はカバー体７０側に配置され、回路基板４０は仕切板７５側に配置される。
仕切板７５には、回路基板４０との対向面上に当該回路基板４０を位置決めするための一対の突起７６，７６が形成されており、回路基板４０に貫通して形成された位置決め穴４２，４２に挿入することで回路基板４０を適正に位置決めすると共に回路基板４０にガタつきがないように保持を行う。
つまり、暗箱３０と一体的に連結された回路基板４０を突起７６，７６により位置決めしながら、仕切板７５をカバー体７０の円筒部７２の背面側端部から挿入すると、暗箱３０及び回路基板４０は、前後方向についてカバー体７０と仕切板７５とにより挟持されることで安定的に保持され、回路基板４０の平面方向については突起７６，７６によって安定的に保持される。
なお、カバー体７０と仕切板７５とは図示しない止めネジにより固定連結されるようにになっている。
【００２７】
ベース体６０は、カバー体７０の外径と等しい円板であり、仕切板７５を介してカバー体７０と同心となるように連結される。また、このベース体６０もまた、白色の樹脂材料にて一体成形で作られている。
ベース体６０の背面側には、図２に示すように、火災感知器１０の設置壁面に対してネジ止めを行うための長穴状或いは鍵穴状のネジの挿通穴６１が貫通して設けられている。また、ベース体６０には、壁面に設けられたフックなどに火災感知器１０を吊下するための壁掛けリング６２が一体成形で設けられている。この壁掛けリング６２は、火災感知器１０を壁に吊下して設置する場合に切り離され、その基端部が取り付け穴６５に取り付けられて使用される。
【００２８】
また、仕切板７５の背面側における所定の直径の両端部となる位置には、互いに先端を内側に向けてＬ字状に形成された一対の連結用フックが形成されており、これに対応して、ベース体６０の正面側における所定の直径の両端部となる位置には、互いに先端を外側に向けてＬ字状に形成された一対の連結用フックが形成されている。そして、ベース体６０と仕切板７５とは、各連結用フックの互いの先端部が相手の内側に挿入されるように、ベース体６０を仕切板７５に対して回転させることにより連結が行われるようになっている。
これらベース体６０と仕切板７５との間の区域は、図示しないバッテリーの格納スペースとして活用される。
【００２９】
（煙感知手段）
煙感知手段２０は、暗箱３０内に設けられる発光素子２１（例えば発光ダイオード）と受光素子２２（例えば、フォトダイオード）とから構成される。即ち、発光素子２１はその照射範囲が制限された状態で暗箱３０内に配置され、受光素子２２は検査光が直接入射されないように受光範囲が制限された状態で暗箱３０内に配置される（図８参照）。
さらに、暗箱３０内において、発光素子２１と受光素子２２とは、その照射範囲とその受光範囲とが一部が重複するように配置され、その重複領域（検煙領域Ａとする）に煙が侵入すると当該煙により発光素子２１の照射光が散乱されて受光素子２２に入射し、煙が感知されるようになっている。
【００３０】
（回路基板）
回路基板４０は、前述した煙感知手段２０の発光素子２１と受光素子２２及び警報音を発する図示しない警報ブザーが接続されており、さらに基板上には、感知手段２０の作動状態を示す光源としてのＬＥＤ４１と前述した試験用押しボタンとが実装されている。
そして、上記ＬＥＤ４１は、回路基板４０における暗箱３０が取り付けられる面上であって当該暗箱３０の下側に隠れる位置に実装される。
【００３１】
そして、回路基板４０は、その一番目の機能として、発光素子２１を点灯させると共に当該点灯時に所定値以上の光強度で受光素子２２が検出を行うと、警報ブザーを鳴らす処理を実行する回路が構成されている。
また、二番目の機能として、試験用押しボタンが押下されると、受光素子２２の検出の有無にかかわらず、警報ブザーを鳴らす処理を実行する回路が構成されている。
さらに、回路基板４０は、三番目の機能として、電源が正常に投入されて、煙感知手段２０の発光素子２１と受光素子２２とが煙の感知を行うことが可能な状態（作動中）にある時に、ＬＥＤ４１を点灯させる処理を実行する回路が構成されている。
【００３２】
（光ガイド部材）
図５（Ａ）は光ガイド部材９０の正面図、図５（Ｂ）は平面図、図５（Ｃ）は底面図を示す。また、図６（Ａ）は光ガイド部材９０を正面方向から見た断面図、図６（Ｂ）は図６（Ａ）の要部を拡大して示した説明図である。
図示のように、光ガイド部材９０は、丸棒状に形成された第一の導光部９１と、平板状に形成された第二の導光部９２とを備え、これらが光の透過性の高い透明素材（例えば樹脂）により一体的に形成されている。
また、上記光ガイド部材９０は、図４に示すように、平板状の第二の導光部９２の一方の平板面に発光面９７ａを備えると共に筐体５０内において当該発光面９７ａを正面側に向けて装備される。そして、第二の導光部９２の発光面９７ａが設けられた平板面とは逆側の平板面に第一の導光部９１が垂直に立設されている。
【００３３】
上記第一の導光部９１は、その一方の端部の端面が前述した回路基板４０の上に実装されたＬＥＤ４１に正対して配置され、他方の端部は第二の導光部９２に一体的に接続されている。
そして、上記一方の端部の端面は、ＬＥＤ４１からの照射光の入射面９１ａとして機能する。
【００３４】
第二の導光部９２は、図５（Ｂ）に示すように、その平板形状が略台形と円形とを一体的に組み合わせた形状に形成されている。より詳細には、台形の下底（対をなす平行な二辺の長い方）側が当該下底よりも直径の大きな円形の外周に連接された形状をなしている。
【００３５】
前述した第一の導光部９１は、上記第二の導光部９２の台形部分９３の上底の近傍となる位置において、平板面に垂直な方向に一体的に連結されており、なお且つ、第一の導光部９１の連結端部に正対するように、第一の反射面９４が形成されている。
第一の反射面９４は、第一の導光部９１の中心線に対して45°の傾斜角度で対向し、なお且つ、当該反射面９４は、第一の導光部９１の中心線に沿って進行する光を第二の導光部９２の円形部分９５側に反射する方向に向けて形成されている。
【００３６】
なお、この第一の反射面９４は、第二の導光部９２の平板面に形成された凹部９６の内面により形成されており、光ガイド部材９０は、当該凹部９６が形成される平板面を、前述した筐体５０の天板７３ａの背面に対向させて配置されるので、天板７３ａの背面側には、凹部９６の形状に応じて当該凹部９６内にはめ込まれる突起が形成されている。
そして、かかる突起の表面には光反射性の高い皮膜を形成することが望ましい。
【００３７】
また、上記第二の導光部９２の台形部分９３は、図５（Ｂ）に示すように、その平面視形状が第一の導光部９１から円形部分９５に向かって幅が広がる形状となっているので、第一の導光部９１から第一の反射面９４により反射した光を効果的に円形部分９５に向かわせることが可能となっている。
【００３８】
第二の導光部９２の円形部９５は、図５（Ｂ）に示すように、その正面側の平面に当該円形部９５と同心となるように円形凸部９７が形成され、その円形凸部９７の端面が発光面９７ａとなっている。かかる円形凸部９７は、前述したように、筐体５０の天板７３ａの中心位置に設けられた円形貫通穴である作動表示部７３ｄに挿入されるようになっている。
そして、図４に示すように、円形凸部９７の挿入状態において、発光面９７ａは天板７３ａの正面（外側平面）よりもわずかに奥に位置するように円形凸部９７の高さが設定されている。これにより、発光面９７ａを外部に接触させて傷などの発生を低減することができる。
なお、発光面９７ａは、天板７３ａの正面と同一平面か正面よりもわずかに突出するように円形凸部９７の高さ設定を行っても良い。その場合、周囲からの発光状態の確認が容易となる。
また、円形部９５の外径は円形凸部９７よりも大きく設定されているが、これらの外径値は同一とならない範囲で互いに近い大きさとすることが望ましい。そうすることにより、円形部９５まで伝達された光の減衰を抑えて発光面９７ａから発光させることが可能となる。
【００３９】
さらに、第二の導光部９２の円形部９５は、図５（Ｃ）及び図６に示すように、その背面側の平面に当該円形部９５と同心となるように円形凹部９８が形成され、その円形凹部９８の内底面が傾斜面９８ａとなっている。
かかる傾斜面９８ａは、円形凹部９８の深さ方向について第一の導光部９１に近い方が浅く、第一の導光部９１に遠い方が深くなるように傾斜して形成されており、その傾斜角度は例えば5°に設定されている。かかる傾斜により、第一の反射面９４に反射されて進行する光が、より傾斜面９８ａ全体に当たりやすい状態を形成することができる。
【００４０】
そして、傾斜面９８ａには、図５（Ｃ）及び図６（Ｂ）に示すように、その全面に渡って、直交する二方向のそれぞれについて平行且つ均一間隔で複数の断面Ｖ字状の溝９９が形成されている（図６では逆さＶ字状に図示されている）。そして、各溝９９は断面Ｖ字状であることから、一つの溝につき二つの平面が形成され、その内の特に第一の反射面９４に近い方の面が発光面９８ａ側に光反射を行う第二の反射面９９ａとして機能することとなる。
なお、各溝９９のそれぞれにより形成される二平面は、図６（Ｂ）に示すように、その交角を90°とすることが望ましい。
【００４１】
前述したように、傾斜面９８ａはその傾斜によりその全面が第一の反射面９４に反射された光を受けやすくなっている。そして、傾斜面９８ａの全面に渡って複数の溝９９により複数の第二の反射面９９ａが一定間隔で形成されているが、傾斜面９８ａの傾斜により、各第二の反射面９９ａは手前に位置する他の第二の反射面９９ａに遮られることなく、第一の反射面９４からの光を受けて、発光面９７ａ側に光反射を行うことができる。
【００４２】
また、円形凹部９８の内径は前述した円形凸部９７の外径よりも大きく設定されている。これにより、傾斜面９８ａを発光面９７ａを含む平面上に投影したときに、傾斜面９８ａの投影面は、発光面９７ａ全体を含むように重合し、且つ発光面９７ａよりも面積が大きくなる。従って、傾斜面９８ａの各第二の反射面９９ａからの反射光は、発光面９７ａよりも広範囲であってその周囲から反射されるので、発光面９７ａの正面からずれた位置から発光面９７ａを見ても、発光面９７ａ全体が発光しているように見せることが可能である。
【００４３】
（暗箱）
図７は暗箱３０の斜視図、図８は暗箱３０の内部構造を示す断面図、図９は後述する正面板３１に設けられた構造を示す斜視図、図１０は後述する背面板３２に設けられた構造を示す斜視図である。
暗箱３０は、筐体５０内において正面側となる円形の正面板３１と、背面側となる円形の背面板３２と、正面板３１と背面板３２との間において当該正面板３１又は背面板３２のいずれかに一体成形された後述する各種の構造及び暗箱３０の外周を覆う図示しない防虫網から構成されている。
なお、正面板３１、背面板３２とこれらに一体成形された各種の構造は、いずれも光吸収性の高い黒色樹脂から成形されている。
【００４４】
正面板３１と背面板３２とは、いずれも等しい外径の円板であり、同心となるように互いに連結される。
また、正面板３１と背面板３２との間には、図８に示すように、煙感知手段２０の発光素子２１の前方を除いて周囲を覆いつつ保持を行う発光素子保持部３３と、煙感知手段２０の受光素子２２の前方を除いて周囲を覆いつつ保持を行う受光素子保持部３４と、暗箱３０の外周近傍で外光の侵入を防止するラビリンス部３５と、発光素子２１の照射光が受光素子２２の受光領域に直接入することを防ぐ遮蔽板３６と、発光素子２１からの出射光を受けて発光素子２１と受光素子２２とにより設定される検煙領域Ａの外側に集光する反射板３７とを備えている。
【００４５】
発光素子保持部３３は、発光素子２１を中心方向に向けて保持し、発光素子２１の左右と後方を覆う壁面部３３ａと前方で照射範囲を規制する絞り部３３ｂとを備えている。
上記壁面部３３ａは背面板３２に一体成形され、絞り部３３ｂは光軸を挟んで二分割され、一方が正面板３１に、他方が背面板３２に一体成形されている。
また、発光素子保持部３３に保持された発光素子２１は、そのリード線が背面板３２を貫通して暗箱３０の背面側に位置する回路基板４０に接続されている。このリード線を暗箱３０の外部に導く貫通穴の周囲には図示しない遮光壁が形成され、当該貫通穴からの外部光の侵入が防止されている。
【００４６】
受光素子保持部３４は、受光素子２２を中心方向に向けて保持し、受光素子２２の左右と後方を覆う壁面部３４ａと前方で受光範囲を規制する絞り部３４ｂとを備えている。
上記壁面部３４ａは背面板３２に一体成形され、絞り部３４ｂは正面板３１に一体成形されている。
また、受光素子保持部３４に保持された受光素子２２は、そのリード線が背面板３２を貫通して暗箱３０の背面側に位置する回路基板４０に接続されている。このリード線を暗箱３０の外部に導く貫通穴の周囲にも図示しない遮光壁が形成され、外部光の侵入は防止されている。
【００４７】
上記遮蔽板３６は、発光素子保持部３３と受光素子保持部３４の間に配置され、発光素子２１の照射範囲が受光素子２２側から離れるように制限されている。かかる遮光板３６は背面板３２に一体成形されている。
そして、発光素子保持部３３及び遮蔽板３６に規定される照射領域と受光素子保持部３４に規定される受光領域との重複する範囲が検煙領域Ａとなり、煙がこの検煙領域Ａ内に侵入すると、照射光が散乱されて生じる散乱光が受光素子２２に受光されて、煙の侵入を感知する。
かかる検煙領域Ａは、暗箱３０のほぼ中央に設定される。
【００４８】
反射板３７は、発光素子２１からの照射光を反射する凹面を備え、かかる反射板３７は正面板３１に一体成形されている。
反射板３７は、発光素子２１からの照射範囲全体の照射光を反射可能な大きさに設定され、暗箱３０の外部となる仮想の集光点に集光するように凹面が形成されている。かかる仮想の集光点は、暗箱３０の背面板３２よりも背面側遠方に設定されており、反射板３７をかかる形状とすることで、発光素子２１からの照射光の反射光を全て受光領域外に向かわせることができ、検煙時の散乱光以外の外乱光の影響を抑制し、Ｓ／Ｎ比を向上することができる。
【００４９】
ラビリンス部３５は、断面形状が略Ｌ字状、略Ｚ字状等の屈曲形状となる複数の壁面と、発光素子保持部３３の壁面部３３ａ、受光素子保持部３４の壁面部３４ａ、反射板３７と一体的に形成された壁面とからなり、これらのラビリンス部３５は、検煙領域Ａを取り囲むように配置される。そして、図８に示す断面方向において、隙間を形成しながら互いにかみ合うように配置されることで、暗箱３０の外周から検煙領域Ａへの外部光の侵入を防止している。なお、各ラビリンス部３５は互いに隙間をもって配置されるので、検煙領域Ａへの煙の誘導は容易に行うことができる。
なお、各ラビリンス部３５は、主に背面板３２に一体成形されている。
【００５０】
さらに、暗箱３０には、当該暗箱３０の正面側に配置される光ガイド部材９０の第一の導光部９１を挿通させる挿通部３８が設けられている。この挿通部３８は、正面板３１を貫通して形成された挿通孔部３８ａと、背面板３２に設けられた発光素子保持部３３の壁面部３３ａに一体的に形成された管状部３８ｂとから構成されている。この挿通孔部３８ａと管状部３８ｂとは、正面板３１と背面板３２とを連結したときに、対応するように配置され、挿通孔部３８ａと管状部３８ｂとの接続部には隙間が生じないように成形されている。かかる挿通部３８により、暗箱３０を正面から背面側に向かって貫通する孔部が形成されると共に、この挿通部３８内に光ガイド部材９０の第一の導光部９１を挿通しても、ＬＥＤ４１からの出射光や外部光、さらには当該第一の導光部９１の透過光が暗箱３０の内部に侵入することが防止される。
また、暗箱３０よりも背面側に配置された回路基板４０に実装されたＬＥＤ４１からの出射光を、筐体５０の正面側で発光させる場合において、暗箱３０を迂回する必要がない。
【００５１】
（火災感知器の動作説明）
上記構成からなる火災感知器１０の動作説明を行う。火災感知器１０は筐体５０の背面を建造物の天井面に密接させて取り付けられるか、鉛直な壁面に密接させて取り付けられる。
回路基板４０は電源であるバッテリーが接続されると、所定の初期化を行い、その後、煙感知手段２０の発光素子２１を点灯すると共に、煙感知手段２０の正常な作動を示すＬＥＤ４１も点灯する。
ＬＥＤ４１の照射光は、光ガイド部材９０の入射面９１ａから第一の導光部９１に侵入し、第一の反射面９４に到達すると、第二の導光部９２の台形部分９３から円形部分９５に向かう方向に反射される。
第二の導光部９２内を進行する光は、傾斜面９８の全体に到達し、当該傾斜面９８上の各溝９９により形成された無数の第二の反射面９９ａに反射され、発光面９７ａから高い光強度で発光が行われる。
【００５２】
また、火災による煙が発生すると、当該煙は、筐体５０の開口部７３ｃから暗箱３０のラビリンス部３５を介して検煙領域Ａ内に侵入する。すると、発光素子２１の照射光が散乱されて受光素子２２で受光され、当該受光素子２２の光感知から回路基板４０は警報ブザーを鳴らす。これにより、火災感知が行われる。
【００５３】
（実施形態の効果）
火災感知器１０は、光ガイド部材９０が傾斜面９８に形成された複数の溝９９の反射により発光面９７ａからの発光を可能とするので、筐体５０における外部への発光位置が回路基板４０におけるＬＥＤ４１の配置に制限されず、筐体５０の凸状部７３の中央に位置する作動表示部７３ｄから発光させることができる。つまり、筐体正面側における凸状部７３の先端位置からの発光により、筐体５０の全周から作動状態を確認することが可能となる。
【００５４】
さらに、光ガイド部材９０において、第二の反射面９９ａを形成する各溝９９が傾斜面９８ａに形成されているので、第二の導光部９２をその平板面に沿って透過する光の進行方向に対して後方に位置する溝９９も前方の溝９９に遮られることなく光反射を行うことができる。このため、光ガイド部材９０は、光の減衰や損失を抑え、透過光を効率的に発光面９７ａまで伝達するので、より高い光強度で発光することができ、より確実に、作動状態を確認することが可能となる。
また、第二の導光部９２の円形凹部９８が円形凸部９７よりも径が大きく同心なので、発光面９７ａ側に投影させた傾斜面９８ａが発光面９７ａ全体に重合し且つ広面積なので、発光面９７ａの正面以外の方向から見ても発光面９７ａ全体が発光しているように見せることができ、筐体５０の正面側の作動表示部７３ｄの周囲における全周からより良好に作動状態を確認することが可能となる。
【００５５】
さらに、火災感知器１０では、暗箱３０に光ガイド部材９０の第一の導光部９１を挿通する光を透過しない管状の挿通部３８を設けたので、暗箱３０を迂回して光ガイド部材９０を配置するスペースを不要とすることができ、火災感知器１０の小型化を図ることが可能となる。
さらに、光ガイド部材９０の迂回自体を不要とするため、ＬＥＤ４１から発光面９７ａまでの光の減衰を抑制し、より高い光強度で発光することができ、より確実に、作動状態を確認することが可能となる。
【００５６】
また、光ガイド部材９０は、暗箱３０の正面側壁面と筐体５０の天板７３ａの背面との間に挟んで固定するため、火災感知器１０の組み立てにおいて、暗箱３０を筐体５０内に設置する際に、光ガイド部材９０の配置が同時に行われて組み立て作業を容易とし、また、光ガイド部材９０の固定手段や固定構造を排除又は簡略化することができ、火災感知器の生産性の向上を図ることが可能となる。
【図面の簡単な説明】
【００５７】
【図１】発明の実施形態たる火災感知器の正面側を示す斜視図である。
【図２】火災感知器の背面側を示す斜視図である。
【図３】火災感知器の分解斜視図である。
【図４】図１に示すＸ−Ｘ線に沿った火災感知器の断面図である。
【図５】図５（Ａ）は光ガイド部材の正面図、図５（Ｂ）は平面図、図５（Ｃ）は底面図を示す。
【図６】図６（Ａ）は光ガイド部材を正面方向から見た断面図、図６（Ｂ）は図６（Ａ）の要部を拡大して示した説明図である。
【図７】暗箱の斜視図である。
【図８】暗箱の内部構造を示す断面図である。
【図９】暗箱の正面板に設けられた構造を示す斜視図である。
【図１０】暗箱の背面板に設けられた構造を示す斜視図である。
【符号の説明】
【００５８】
１０  火災感知器
２０  煙感知手段（火災感知手段）
３０  暗箱
３８  挿通部
３８ａ  挿通孔部
３８ｂ  管状部
４１  ＬＥＤ（光源）
５０  筐体
７３  突状部
７３ａ  天板
９０  光ガイド部材
９１  第一の導光部
９２  第二の導光部
９４  第一の反射面
９７ａ  発光面
９８ａ  傾斜面
９９  溝
９９ａ  第二の反射面
【図１】
0004668702.tif 000002
【図２】
0004668702.tif 000003
【図３】
0004668702.tif 000004
【図４】
0004668702.tif 000005
【図５】
0004668702.tif 000006
【図６】
0004668702.tif 000007
【図７】
0004668702.tif 000008
【図８】
0004668702.tif 000009
【図９】
0004668702.tif 000010
【図１０】
0004668702.tif 000011